(57)【要約】【課題】  或る程度の行動の自由を確保しつつ、ペットの安全性を保持することを可能にするペット用セーフティベストを提供することである。【解決手段】  首用開口部（１２ａ）、胴体用開口部（１２ｂ）、一対の前脚用開口部（１２ｃ、１２ｄ）をもつ袋状の形状を有し、前脚用開口部の一方と胴体用開口部との間に切れ込み（１２ｅ）が設けられたベスト本体（１２）と、切れ込みの両縁を結合する結合手段（１４）と、装着時にベスト本体の上からペットの胴体を締めるベルト（１６）と、ベスト本体と車中の適所とを連結する連結部材（１８）とを備えていることを特徴とするペット用セーフティベスト（１０）が提供される。【選択図】  図１
0003132077.tif 000002
【実用新案登録請求の範囲】
【請求項１】
車中でペットに装着されるペット用セーフティベストであって、
首用開口部、胴体用開口部、一対の前脚用開口部をもつ袋状の形状を有し、前記前脚用開口部の一方と前記胴体用開口部との間に切れ込みが設けられたベスト本体と、
前記切れ込みの両縁を結合する結合手段と、
装着時に前記ベスト本体の上からペットの胴体を締めるベルトと、
前記ベスト本体と車中の適所とを連結する連結部材と、
を備えていることを特徴とするセーフティベスト。
【請求項２】
前記結合手段が、面ファスナー、スライドファスナー、スナップ、ボタンのいずれかであることを特徴とする請求項１に記載のセーフティベスト。
【請求項３】
前記ベルトの両端に、スナップイン・コネクタが取り付けられていることを特徴とする請求項１又は２に記載のセーフティベスト。
【請求項４】
前記連結部材が、伸縮自在なコイル状部分と、前記コイル状部分の両端に取り付けられたクランプとを有していることを特徴とする請求項１から請求項３までのいずれか１項に記載のセーフティベスト。
【考案の詳細な説明】
【技術分野】
【０００１】
本考案は一般に、犬などのペットに用いる用品に関する。より詳細には、本考案は、ペットを自動車に乗せた際にペットに装着させるペット用セーフティベストに関する。
【背景技術】
【０００２】
犬などのペットを自動車に乗せて運転する例は数多く見られる。しかし、ペットを自動車に乗せて運転すると、急ブレーキや衝突時の衝撃でペットが車外に放り出されるおそれがある。また、窓を開けたまま運転すると、ペットが窓から飛び出してしまうおそれもある。このように、ペットを乗せて運転すると種々の不都合が生ずる可能性がある。
【０００３】
このような状態を改善すべく、ペットを乗せても安心して運転することができるような商品として、ペット用シートベルトが販売されている。図７は、犬がペット用シートベルトを装着して座席に座っている状態を示した図である。
【考案の開示】
【考案が解決しようとする課題】
【０００４】
しかしながら、ペット用シートベルトを装着すると、座席上で殆ど動き回ることができなくなるため、ペットにとって大きなストレスになるという課題がある。
【０００５】
本考案は、このような状況に鑑みて案出されたものであって、或る程度の行動の自由を確保しつつ、ペットの安全性を保持することを可能にするペット用セーフティベストを提供することを目的としている。
【課題を解決するための手段】
【０００６】
本願請求項１に記載のペット用セーフティベストは、首用開口部、胴体用開口部、一対の前脚用開口部をもつ袋状の形状を有し、前記前脚用開口部の一方と前記胴体用開口部との間に切れ込みが設けられたベスト本体と、前記切れ込みの両縁を結合する結合手段と、装着時に前記ベスト本体の上からペットの胴体を締めるベルトと、前記ベスト本体と車中の適所とを連結する連結部材とを備えていることを特徴とするものである。
【０００７】
本願請求項２に記載のペット用セーフティベストは、前記請求項１のセーフティベストにおいて、前記結合手段が、面ファスナー、スライドファスナー、スナップ、ボタンのいずれかであることを特徴とするものである。
【０００８】
本願請求項３に記載のペット用セーフティベストは、前記請求項１又は２のセーフティベストにおいて、前記ベルトの両端に、スナップイン・コネクタが取り付けられていることを特徴とするものである。
【０００９】
本願請求項４に記載のペット用セーフティベストは、前記請求項１から請求項３までのいずれか１項のセーフティベストにおいて、前記連結部材が、伸縮自在なコイル状部分と、前記コイル状部分の両端に取り付けられたクランプとを有していることを特徴とするものである。
【考案の効果】
【００１０】
本考案によれば、急ブレーキや衝突時の衝撃でペットが車外に放り出されるのを防ぐことができる。また、本考案のペット用セーフティベストを車中のペットに装着させることにより、運転中にペットが運転者の膝に乗ったり運転を妨げる危険行為をしないようにすることができる。さらに、本考案のペット用セーフティベストを装着しても、或る程度の行動範囲は確保できるので、ベットがストレスになることを防止することもできる。
【考案を実施するための最良の形態】
【００１１】
次に添付図面を参照して、本考案の好ましい実施の形態に係るペット用セーフティベストについて詳細に説明する。図１は、本考案の好ましい実施の形態に係るペット用セーフティベストを概略的に示した平面図である。図１において全体として参照符号１０で示される本考案の好ましい実施の形態に係るペット用セーフティベストは、ベスト本体１２を備えている。
【００１２】
ベスト本体１２は、ペットの首用の開口部１２ａと、胴体用の開口部１２ｂと、前脚用の一対の開口部１２ｃ、１２ｄとをもつ袋状の形状を有しており、適当な布で形成されている。なお、好ましくは、ベスト本体１２をペットに装着し易いように、一方の前脚用開口部１２ｃと胴体用開口部１２ｂとの間に切れ込み１２ｅが設けられている。
【００１３】
切れ込み１２ｅには、装着時に脱げないように、結合手段１４が設けられている。結合手段１４としては、例えば、登録商標「マジックテープ」のような面ファスナー、スライドファスナー、スナップ、又はボタンなどの適当な手段が用いられる。
【００１４】
ペット用セーフティベスト１０は又、装着時にベスト本体１２の上からペットの胴体を締めるベルト１６を備えている。ベルト１６は、ほぼ中央部１６ａがベスト本体１２に縫い付けられており、好ましくは、両端にスナップイン・コネクタ１６ｂが取り付けられている。
【００１５】
ペット用セーフティベスト１０は更に、ベスト本体１２を装着したベットを車内のヘッドレストやシートベルト等の適当な箇所に連結するための連結部材１８を備えている。連結部材１８は、図４に示されるように、伸縮自在なコイル状部分１８ａと、コイル状部分１８ａの両端に取り付けられたクランプ１８ｂ、１８ｃとを有している。
【００１６】
以上のように構成されたペット用セーフティベスト１０の使用について説明する。ペットにベスト本体１２を装着させる。次いで、連結部材１８の一方のクランプ１８ｂ（又は１８ｃ）をヘッドレストやシートベルトのフック等の適所に引っ掛け、他方のクランプ１８ｃ（又は１８ｂ）をベスト本体１２のリング１２ｆに引っ掛ける。或いは、予め車中の適所に連結部材１８を取り付けておき、ペットが車中に乗ったときに、ペットに装着されたベスト本体１２のリング１２ｆに連結部材のクランプを引っ掛けてもよい。
【００１７】
本考案は、以上の考案の実施の形態に限定されることなく、実用新案登録請求の範囲に記載された考案の範囲内で、種々の変更が可能であり、それらも本考案の範囲内に包含されるものであることはいうまでもない。
【００１８】
たとえば、添付図面ではペット用セーフティベスト１０が犬に装着されている例が示されているが、ペット用セーフティベスト１０を猫などの他のペットに使用してもよい。
【図面の簡単な説明】
【００１９】
【図１】本考案の好ましい実施の形態に係るペット用セーフティベストを示した正面図である。
【図２】図１のペット用セーフティベストを示した背面図である。
【図３】図１のペット用セーフティベストにおいて結合手段が結合されている状態を示した図である。
【図４】連結部材を示した斜視図である。
【図５】犬に図１のペット用セーフティベストが装着されている状態を示した模式図である。
【図６】図１のペット用セーフティベストを装着した犬が車の座席に座っている状態を示した模式図である。
【図７】従来のペット用シートベルトを装着した犬が車の座席に座っている状態を示した模式図である。
【符号の説明】
【００２０】
１０  ペット用セーフティベスト
１２  ベスト本体
１４  結合手段
１６  ベルト
１６ｂ  スナップイン・コネクタ
１８  連結部材
【図１】
0003132077.tif 000003
【図２】
0003132077.tif 000004
【図３】
0003132077.tif 000005
【図４】
0003132077.tif 000006
【図５】
0003132077.tif 000007
【図６】
0003132077.tif 000008
【図７】
0003132077.tif 000009